(57)【要約】【課題】カードインターフェースが１つの場合においても画像送信時の操作が簡易な画像撮影装置を提供する。【解決手段】本発明に係る画像撮影装置は、ユーザの操作に応じて、撮影した画像に対して送信モードを設定することが可能であって、画像撮影時には、信号処理部３から得られるデータに基づいて画像圧縮処理部５にて保存用画像データを作成し、該データを外部メモリカード１０に書き込む。又、送信モードが設定されている画像については、画像圧縮処理部５にて送信用画像データを作成し、該データを内蔵メモリ６に書き込む。画像送信時には、ユーザの操作に応じて、内蔵メモリ６に書き込まれている送信用画像データを外部通信カード９から指定の宛先へ送信する。【選択図】　　　図１
2004040277.tif 000002
【特許請求の範囲】
【請求項１】
画像撮影処理部とカードインターフェースとを具え、カードインターフェースにメモリカードを差し込むことによって、撮影した画像をメモリカードに記録することが可能であると共に、該カードインターフェースに通信カードを差し込むことによって、撮影した画像を通信カードから指定の宛先へ送信することが可能な画像撮影装置において、
１或いは複数枚の画像を保存することが可能な内蔵メモリと、
ユーザの操作に応じて、撮影画像に対して送信モードを設定する送信モード設定手段と、
画像撮影処理部から得られるデータに基づいて保存用画像データを作成し、該データをメモリカードに書き込むメモリカード書き込み手段と、
送信モードが設定されている画像について送信用画像データを作成し、該データを内蔵メモリに書き込む内蔵メモリ書き込み手段と、
ユーザの操作に応じて、内蔵メモリに書き込まれている送信用画像データを通信カードに送出する画像データ送出手段
とを具えていることを特徴とする画像撮影装置。
【請求項２】
更に、カードインターフェースに差し込まれているカードがメモリカードであるか、通信カードであるかを判断するカード判別手段を具え、該カード判別手段による判別の結果に応じて、メモリカード書き込み手段、内蔵メモリ書き込み手段及び画像データ送出手段が動作する請求項１に記載の画像撮影装置。
【請求項３】
送信用画像データは、保存用画像データよりも小さなサイズに作成される請求項１又は請求項２に記載の画像撮影装置。
【請求項４】
送信モード設定手段は、送信用画像データのサイズを選択するサイズ選択手段を具えている請求項１乃至請求項３の何れかに記載の画像撮影装置。
【発明の詳細な説明】
【０００１】
【発明の属する技術分野】
本発明は、デジタルカメラの如く、カードインターフェースにメモリカードを差し込むことによって、撮影した画像をメモリカードに保存することが可能な画像撮影装置に関するものである。
【０００２】
【従来の技術】
一般にデジタルカメラにおいては、カードインターフェースが１つだけ装備されており、該カードインターフェースにメモリカードを差し込むことによって、撮影した画像をメモリカードに保存することが出来ると共に、該カードインターフェースに通信カード（モデムカード）を差し込むことによって、撮影した画像を通信カードからインターネット等を経由してサーバーへ送信することが可能である。
【０００３】
【発明が解決しようとする課題】
しかしながら、従来のデジタルカメラにおいては、カードインターフェースが１つ装備されているに過ぎないため、撮影した画像を通信カードから送信する場合に、操作が煩雑となる問題があった。即ち、画像撮影においては、カードインターフェースにメモリカードを差し込んで、この状態で撮影を行ない、撮影された画像をメモリカードに保存する。その後、画像送信時には、メモリカードから送信せんとする画像を読み出して、内蔵メモリにコピーした後、カードインターフェースからメモリカードを外した上、カードインターフェースに通信カードに差し込み、この状態で内蔵メモリに格納されている画像を指定の宛先へ送信する。この様に、画像送信時には、カードインターフェースに通信カードを差し込む前に、送信せんとする画像をメモリカードから内蔵メモリにコピーする操作が必要となり、操作が煩雑となる。
デジタルカメラに２つのカードインターフェースを装備すれば、メモリカードから内蔵メモリに画像をコピーする操作は不要となるが、デジタルカメラの大型化を招く問題がある。
【０００４】
そこで本発明の目的は、カードンターフェースが１つの場合においても画像送信時にメモリカードから内蔵メモリに画像をコピーする操作を行なう必要のない画像撮影装置を提供することである。
【０００５】
【課題を解決する為の手段】
本発明に係る画像撮影装置は、
１或いは複数枚の画像を保存することが可能な内蔵メモリと、
ユーザの操作に応じて、撮影画像に対して送信モードを設定する送信モード設定手段と、
画像撮影処理部から得られるデータに基づいて保存用画像データを作成し、該データをメモリカードに書き込むメモリカード書き込み手段と、
送信モードが設定されている画像について送信用画像データを作成し、該データを内蔵メモリに書き込む内蔵メモリ書き込み手段と、
ユーザの操作に応じて、内蔵メモリに書き込まれている送信用画像データを通信カードへ送出する画像データ送出手段
とを具えている。
【０００６】
上記本発明の画像撮影装置においては、ユーザが画像撮影に際して或いは画像撮影後にその画像に送信モードを設定することによって、撮影された画像は保存用画像データとしてメモリカードに書き込まれると共に、送信用画像データとして内蔵メモリに書き込まれる。
その後、カードインターフェースに差し込まれているメモリカードを通信カードに交換して、送信指令を与えると、内蔵メモリに書き込まれている送信用画像データが通信カードから指定の宛先へ送信される。ここで、内蔵メモリには既に送信すべき画像が格納されているので、従来の如きメモリカードから内蔵メモリへ画像をコピーする操作は不要である。
【０００７】
具体的構成においては更に、カードインターフェースに差し込まれているカードがメモリカードであるか、通信カードであるかを判断するカード判別手段を具え、該カード判別手段による判別の結果に応じて、メモリカード書き込み手段、内蔵メモリ書き込み手段及び画像データ送出手段が動作する。
【０００８】
又、具体的には、送信用画像データは、保存用画像データよりも小さなサイズに作成される。これによって、通信時間の短縮が可能となる。
更に、送信モード設定手段は、送信用画像データのサイズを選択するサイズ選択手段を具えている。これによって、ユーザは所望のデータサイズで画像を送信することが可能となる。
【０００９】
【発明の効果】
本発明に係る画像撮影装置によれば、カードンターフェースが１つの場合においても画像送信に際してメモリカードから内蔵メモリに画像をコピーする操作を行なう必要がないので、画像送信時の操作が簡易なものとなる。
【００１０】
【発明の実施の形態】
以下、本発明をデジタルカメラに実施した形態につき、図面に沿って具体的に説明する。
図１は、本発明に係るデジタルカメラ（１）の構成を表わしており、画像撮影のためのＣＣＤ（２）と、ＣＣＤ（２）から得られる画像データ（生データ）に所定に信号処理を施す信号処理部（３）と、ＣＰＵ（４）と、画像データを圧縮する画像圧縮処理部（５）と、圧縮された画像データを格納すべき内蔵メモリ（６）と、カード制御部（７）と、カードＩ／Ｆ（８）とを具え、カードＩ／Ｆ（８）には、外部通信カード（９）と外部メモリカード（１０）の何れか一方を差し込むことが可能となっている。
【００１１】
画像撮影において、ＣＣＤ（２）から得られる画像データ（生データ）は信号処理部（３）に供給されて、必要な信号処理が施された後、画像圧縮処理部（５）にて保存用画像データに圧縮され、該保存用画像データは、カードＩ／Ｆ（８）に外部メモリカード（１０）が差し込まれている状態にて、カード制御部（７）による制御の下で外部メモリカード（１０）に書き込まれる。又、画像送信モードが設定さている画像については、画像圧縮処理部（５）によって送信用画像データが作成されて、内蔵メモリ（６）に書き込まれる。
【００１２】
その後、画像送信時には、カードＩ／Ｆ（８）に外部通信カード（９）が差し込まれた状態で、内蔵メモリ（６）に書き込まれている送信用画像データがカード制御部（７）による制御の下で外部通信カード（９）からサーバーへ向けて送信される。
【００１３】
図２は、画像撮影に際して実行されるモード選択処理を表わしており、先ずステップＳ１１にて、ユーザの操作によって通常モードと画像送信モードの何れが選択されたかを判断し、通常モードが選択されたときは手続きを終了する。画像送信モードが選択されたときは、更にステップＳ１２にて、例えば６４０×４８０、３２０×２４０、１６０×１２０の何れの画像サイズが選択されかを判断し、選択された画像サイズを送信用画像データのサイズとして設定する。
【００１４】
図３は、画像送信に際して実行される接続情報の設定処理を表わしており、先ずステップＳ２１にて、ユーザの操作に応じて回線接続情報の設定を行ない、続いてステップＳ２２にて、ユーザの操作に応じてサーバー接続情報の設定を行なった後、手続きを終了する。
【００１５】
図４及び図５は、画像撮影及び画像送信時の処理を表わしている。
先ずステップＳ１にて、カードＩ／Ｆに差し込まれているカードが外部メモリカードであるか、外部通信カードであるかを判断し、外部メモリカードの場合は、ステップＳ２にてユーザ操作によって撮影開始が指令されたかどうかを判断する。
【００１６】
ステップＳ２にてイエスと判断されたときは、ステップＳ３に移行して、ＣＣＤから信号処理部へのデータの取り込みを行なった後、ステップＳ４にて、画像圧縮処理部において保存用画像データの作成を行なう。続いてステップＳ５では、保存用画像データを外部メモリカードに保存した後、ステップＳ６にて、画像送信モードが設定されているかどうかを判断する。
【００１７】
ステップＳ６にてイエスと判断されたときは、ステップＳ７にて、画像圧縮処理部において選択された画像サイズに基づいて送信用画像データを作成した後、ステップＳ８にて送信用画像データを内蔵メモリに保存する。一方、ステップＳ６にてノーと判断されたときは、ステップＳ７及びステップＳ８は迂回する。
その後、ステップＳ１に戻って、同じ手続きを繰り返す。
【００１８】
ステップＳ１にてカードＩ／Ｆに外部通信カードが差し込まれていると判断されたときは、図５のステップＳ９に移行して、内蔵メモリに送信用画像データが存在するかどうかを判断し、ここでノーと判断されたときは、図４のステップＳ１に戻る。
図５のステップＳ９にてイエスと判断されたときは、ステップＳ１０に移行して、ユーザ操作によって送信が指令されたかどうかを判断し、ここでノーと判断されたときは、図４のステップＳ１に戻る。
【００１９】
ユーザ操作によって送信が指令されて図５のステップＳ１０にてイエスと判断されたときは、ステップＳ１１に移行して、既に設定されている情報に基づいてサーバーへの接続を実行した後、ステップＳ１２にて、内蔵メモリに格納されている画像データをサーバーへ向けて送信する。送信終了後、ステップＳ１３では回線を切断し、図４のステップＳ１に戻る。
【００２０】
上記デジタルカメラにおいては、通常撮影モードでは、従来と同様に画像撮影操作によって撮影された画像が外部メモリカードに保存されることになるが、画像送信モードでは、撮影された画像が外部メモリカードに保存されると共に、内部メモリに格納されて、その後の画像送信時には、内部メモリに格納されている画像がサーバーへ送信される。
従って、ユーザは、画像送信時に外部メモリカードに保存されている画像を内部メモリにコピーする操作は不要である。又、内部メモリカードに保存される送信用画像データは、ユーザが選択したサイズに圧縮されてメモリカードに格納されるので、通信時間の短縮が可能である。
【００２１】
尚、本発明の各部構成は上記実施の形態に限らず、特許請求の範囲に記載の技術的範囲内で種々の変形が可能である。例えば、画像撮影に際して予め画像送信モードの設定操作を行なうことによって、その後に撮影する全ての画像に画像送信モードを設定することも可能であるが、画像撮影後に画像毎に画像送信モードの設定を行なうことも可能である。
又、本発明はデジタルカメラに限らず、カメラ付き携帯電話機に実施することも可能である。
【図面の簡単な説明】
【図１】本発明に係るデジタルカメラの構成を表わすブロック図である。
【図２】画像撮影に際して実行されるモード選択処理を表わすフローチャートである。
【図３】画像送信に際して実行される接続情報の設定処理を表わすフローチャートである。
【図４】画像撮影及び画像送信時の処理の前半を表わすフローチャートである。
【図５】画像撮影及び画像送信時の処理の後半を表わすフローチャートである。
【符号の説明】
（１）　デジタルカメラ
（２）　ＣＣＤ
（３）　信号処理部
（４）　ＣＰＵ
（５）　画像圧縮処理部
（６）　内蔵メモリ
（７）　カード制御部
（８）　カードＩ／Ｆ
（９）　外部通信カード
（１０）　外部メモリカード
【図１】
2004040277.tif 000003
【図２】
2004040277.tif 000004
【図３】
2004040277.tif 000005
【図４】
2004040277.tif 000006
【図５】
2004040277.tif 000007